(57)【特許請求の範囲】
【請求項１】
第１デバイスにより、前記第１デバイスの画面上に、前記第１デバイスと別個の第２デバイスにインストールされた複数のアプリケーションに対応する複数のアイコンを表示する方法であって、
前記第２デバイスの画面上に表示される前記複数のアイコンのレイアウトに関する情報を受信するステップと、
前記受信された情報に基づいて、前記第１デバイスの画面上に前記複数のアプリケーションに対応する前記複数のアイコンを表示するためのレイアウトを決定するステップと、
前記決定されたレイアウトに沿って、前記第１デバイスの画面上に前記複数のアイコンを表示するステップと
を含み、
前記複数のアイコンを表示するステップは、
前記第１デバイスにインストール可能なアプリケーションに対応するアイコンを前記第１デバイスにインストールが不可能なアプリケーションに対応するアイコンと区別されるように表示するステップを含む複数のアイコンを表示する方法。
【請求項２】
前記情報は、
前記第２デバイスまたはサーバから受信されることを特徴とする請求項１に記載の複数のアイコンを表示する方法。
【請求項３】
前記レイアウトを決定するステップは、
前記第２デバイスの画面上に表示される前記複数のアイコンのレイアウトと同一または類似の形態で前記第１デバイスの画面上に表示する前記複数のアイコンのレイアウトを決定するステップを含む請求項１に記載の複数のアイコンを表示する方法。
【請求項４】
前記レイアウトを決定するステップは、
前記受信された情報に基づいて、前記第１デバイスに表示するページの個数及び前記ページ上に含まれる複数のアイコンの位置を決定するステップを含む請求項１に記載の複数のアイコンを表示する方法。
【請求項５】
前記第２デバイスの複数のアイコンは、第１ページ及び第２ページに含まれ、
前記第１ページ及び第２ページのうちの何れか一つは、ユーザのジェスチャーに応じて選択的に前記第１デバイスの画面に表示され、
前記レイアウトを決定するステップは、
前記第１ページ及び第２ページに含まれた複数のアイコンが前記第１デバイスの画面上に表示されるように、前記複数のアイコンのレイアウトを決定するステップ
を含む請求項１に記載の複数のアイコンを表示する方法。
【請求項６】
前記レイアウトに関する情報は、
前記第２デバイスの画面の大きさ、前記第２デバイスの画面の解像度、前記第２デバイスの画面のＰＰＩ（Ｐｉｘｅｌ  Ｐｅｒ  Ｉｎｃｈ）、アイコンが位置するページに関する情報、アイコンに対応するアプリケーション識別情報、アイコンタイプ情報、アイコン位置情報、アイコン表示大きさ情報、ウィジェット識別情報、アイコンの順序に関する情報のうち、少なくとも一つを含むことを特徴とする請求項１に記載の複数のアイコンを表示する方法。
【請求項７】
前記受信するステップは、
前記第１デバイスのユーザと前記第２デバイスのユーザとが同じである場合、
前記第２デバイスのアイコンのレイアウトに関する情報を受信するステップを含む請求項１に記載の複数のアイコンを表示する方法。
【請求項８】
前記第２デバイスの画面上に表示されるレイアウトに関する情報が変更された場合、
前記第１デバイスの画面上に、前記第２デバイスの画面上に表示されるアイコンのレイアウトに関する情報が変更されたことを知らせるステップをさらに含む請求項１に記載の複数のアイコンを表示する方法。
【請求項９】
第１デバイスと別個の第２デバイスにインストールされた複数のアプリケーションに対応する複数のアイコンを、前記第１デバイスの画面上に表示する第１デバイスであって、
前記第２デバイスの画面上に表示される前記複数のアイコンのレイアウトに関する情報を受信し、前記受信された情報に基づいて、前記第１デバイスの画面上に表示される前記複数のアプリケーションに対応する前記複数のアイコンのレイアウトを決定する制御部と、
前記決定されたレイアウトに沿って、前記複数のアイコンを前記画面上に表示するディスプレイと
を備え、
前記ディスプレイは、
前記第１デバイスにインストール可能なアプリケーションに対応するアイコンを前記第１デバイスにインストールが不可能なアプリケーションに対応するアイコンと区別されるように表示することを特徴とする第１デバイス。
【請求項１０】
前記制御部は、
前記第２デバイスまたはサーバから前記情報を受信することを特徴とする請求項９に記載の第１デバイス。
【請求項１１】
前記制御部は、
前記複数のアイコンのレイアウトを決定する場合、
前記第２デバイスの画面上に表示される前記複数のアイコンのレイアウトと同一または類似の形態で前記第１デバイスの画面上に表示される前記複数のアイコンのレイアウトを決定することを特徴とする請求項９に記載の第１デバイス。
【請求項１２】
前記制御部は、
前記受信された情報に基づいて、前記第１デバイスに表示するページの個数及び前記ページ上に含まれる複数のアイコンの位置を決定することを特徴とする請求項９に記載の第１デバイス。
【請求項１３】
前記第２デバイスの複数のアイコンは、第１ページ及び第２ページに含まれ、
前記第１ページ及び第２ページのうちの何れか一つは、ユーザのジェスチャーに応じて選択的に前記第１デバイスの画面に表示され、
前記制御部は、
前記第１ページ及び第２ページに含まれた複数のアイコンが前記第１デバイスの画面上に表示されるように、前記複数のアイコンのレイアウトを決定することを特徴とする請求項９に記載の第１デバイス。
【請求項１４】
前記レイアウトに関する情報は、
前記第２デバイスの画面の大きさ、前記第２デバイスの画面の解像度、前記第２デバイスの画面のＰＰＩ(Ｐｉｘｅｌ Ｐｅｒ Ｉｎｃｈ)、アイコンが位置するページに関する情報、アイコンに対応するアプリケーション識別情報、アイコンタイプ情報、アイコン位置情報、アイコン表示大きさ情報、ウィジェット識別情報、アイコンの順序に関する情報のうち、少なくとも一つを含むことを特徴とする請求項９に記載の第１デバイス。
【発明の詳細な説明】
【技術分野】
【０００１】
本発明は、デバイスの画面上にアイコンを表示する方法に関し、特に、デバイスの画面上に複数のページに含まれた複数のアイコンを配置する方法に関する。
【背景技術】
【０００２】
ユーザが電子デバイスを追加的に購買またはアップグレードすることに伴い、従来のデバイスにインストールされたアプリケーションと同じアプリケーションを新規デバイスにインストールすることが一般的である。
【０００３】
従来では、従来のデバイスにインストールされたアプリケーションを新規デバイスに容易にインストールできるように、新規デバイスの画面上に従来のデバイスにインストールされたアプリケーション目録を提供した。しかしながら、新規デバイスは、前記アプリケーション目録のうち、ユーザの選択したアプリケーションだけをインストールし、前記インストールされたアプリケーションに対応するアイコンを新規デバイスの画面上にどのように配置するかに関しては考慮しなかった。
【先行技術文献】
【特許文献】
【０００４】
【特許文献１】韓国公開特許第１０−２０１３−０００６２８７号公報
【発明の概要】
【発明が解決しようとする課題】
【０００５】
本発明は、上述した問題点及び短所を解決するために案出されたものであって、後述する少なくとも一つの長所を提供する。
本発明は、デバイスの画面上にアイコンを配置する方法及び装置を提供する。
【０００６】
本発明は、ユーザがデバイスに他のデバイスにインストールされたアプリケーションをインストールする場合、デバイスが画面上に前記アプリケーションに対応するアイコンを配置する方法及び装置を提供する。
【課題を解決するための手段】
【０００７】
本発明の一様相によれば、第１デバイスにより、前記第１デバイスの画面上に、前記第１デバイスと別個の第２デバイスにインストールされた複数のアプリケーションに対応する複数のアイコンを表示する方法であって、前記方法は、前記第２デバイスの画面上に表示される前記複数のアイコンのレイアウトに関する情報を受信するステップと、前記受信された情報に基づいて、前記第１デバイスの画面上に前記複数のアプリケーションに対応する前記複数のアイコンを表示するためのレイアウトを決定するステップと、前記決定されたレイアウトに沿って、前記第１デバイスの画面上に前記複数のアイコンを表示するステップとを含む。
【０００８】
本発明の他の様相によれば、第１デバイスの画面上に、前記第１デバイスと別個の第２デバイスにインストールされた複数のアプリケーションに対応する複数のアイコンを表示する方法であって、前記方法は、前記第２デバイスにより前記第２デバイスの画面上に前記複数のアプリケーションに対応する前記複数のアイコンを表示するステップと、前記第２デバイスにより、前記第２デバイスの画面上に表示された前記複数のアイコンのレイアウトに関する情報を前記第１デバイスまたはサーバに送信するステップと、前記第１デバイスにより、前記複数のアイコンのレイアウトに関する情報を前記第２デバイスまたは前記サーバから受信するステップと、前記第１デバイスにより、前記受信された情報に基づいて、前記第１デバイスの画面上に表示される複数のアイコンのレイアウトを決定するステップと、前記決定されたレイアウトに沿って前記第１デバイスの画面上に前記複数のアイコンを表示するステップとを含む。
【０００９】
本発明のさらに他の様相によれば、第１デバイスの画面上に複数のアプリケーションに対応する複数のアイコンを表示する方法であって、前記方法は、前記第１デバイスにより、前記複数のアイコンのレイアウトに関する情報を受信するステップと、前記受信された情報に基づいて、前記第１デバイスの画面に表示する前記複数のアプリケーションに対応する複数のアイコンのレイアウトを決定するステップと、前記決定されたレイアウトに沿って前記第１デバイスの画面上に前記複数のアイコンを表示するステップとを含む。
【００１０】
本発明のさらに他の様相によれば、第１デバイスと別個の第２デバイスにインストールされた複数のアプリケーションに対応する複数のアイコンを、前記第１デバイスの画面上に表示する第１デバイスであって、前記第１デバイスは、前記第２デバイスの画面上に表示される前記複数のアイコンのレイアウトに関する情報を受信し、前記受信された情報に基づいて、前記第１デバイスの画面上に表示される前記複数のアプリケーションに対応する前記複数のアイコンのレイアウトを決定する制御部と、前記決定されたレイアウトに沿って前記複数のアイコンを前記画面上に表示するディスプレイとを備える。
【００１１】
本発明のさらに他の様相によれば、複数のアイコンを表示するためのシステムであって、前記システムは、第２デバイス、前記第２デバイスにインストールされた複数のアプリケーションに対応する複数のアイコンを画面上に表示する第１デバイスを備え、前記第２デバイスは、前記第２デバイスの画面上に表示された前記複数のアイコンのレイアウトに関する情報を前記第１デバイスまたはサーバに送信し、前記第１デバイスは、前記第２デバイスまたは前記サーバから前記複数のアイコンのレイアウトに関する情報を受信し、前記受信された情報に基づいて前記第１デバイスの画面上に表示される前記複数のアイコンのレイアウトを決定し、前記決定されたレイアウトに沿って前記第１デバイスの画面上に前記複数のアイコンを表示する。
【００１２】
本発明のさらに他の様相によれば、画面上に複数のアプリケーションに対応する複数のアイコンを表示するためのデバイスにおいて、前記デバイスは、前記複数のアイコンのレイアウトに関する情報を受信し、前記受信された情報に基づいて前記デバイスの画面上に表示される前記複数のアイコンのレイアウトを決定する制御部と、前記決定されたレイアウトに沿って前記デバイスの画面上に前記複数のアイコンを表示するディスプレイとを備える。
【発明の効果】
【００１３】
本発明によれば、ユーザが複数のデバイスを使用するとき、デバイス間にアイコンのレイアウトに関する情報を共有できる。
これにより、ユーザは、アイコンを再度編集しなくてもデバイスのアイコンを速かに配置できる。
【図面の簡単な説明】
【００１４】
【図１】本発明の一実施の形態にかかるデバイス間にアイコンのレイアウトを共有する例を示す。
【図２Ａ】本発明の一実施の形態にかかるデバイスの画面上にアイコンのレイアウトを示す図である。
【図２Ｂ】本発明の一実施の形態にかかるデバイスの画面上にアイコンのレイアウトを示す図である。
【図２Ｃ】本発明の一実施の形態にかかるデバイスの画面上にアイコンのレイアウトを示す図である。
【図３】本発明の一実施の形態にかかる電子デバイスの構成を示すブロック図である。
【図４】本発明の一実施の形態にかかるデバイスの制御部の機能ブロックを示す図である。
【図５】本発明の一実施の形態にかかるデバイスの制御部の動作を示すフローチャートである。
【図６】本発明の一実施の形態にかかるデバイス間にページレイアウトを共有する画面を示す図である。
【図７】本発明の一実施の形態にかかるデバイス間にアイコンのレイアウトを共有する画面を示す図である。
【図８】本発明の一実施の形態にかかるデバイス間にアイコンのレイアウトを共有する方法を示すフローチャートである。
【図９】本発明の他の一実施の形態にかかるデバイス間にアイコンレイアウトを共有する方法を示すフローチャートである。
【図１０】本発明のさらに他の一実施の形態にかかるデバイス間にアイコンのレイアウトを共有する方法を示すフローチャートである。
【図１１】本発明のさらに他の一実施の形態にかかるデバイス間にアイコンのレイアウトを共有する方法を示すフローチャートである。
【図１２】本発明の一実施の形態にかかるデバイス間にアイコンレイアウトの変更を知らせる画面を示す図である。
【発明を実施するための形態】
【００１５】
以下、添付された図面を参照して、本発明の多様な実施の形態を詳細に説明する。
【００１６】
図１は、本発明の一実施の形態にかかるデバイス間にアイコンのレイアウトを共有する一例を示す図である。図１に示すように、デバイス１０、２０、３０、４０は、それぞれの画面上にアイコンのレイアウトを他のデバイスと共有できる。例えば、デバイス１０は、他のデバイス２０、３０、４０からアイコンのレイアウトに関する情報を受信するか、または他のデバイス２０、３０、４０にデバイス１０のアイコンのレイアウトに関する情報を送信できる。
【００１７】
ここで、各デバイス１０、２０、３０、４０の画面の大きさ、解像度、ＰＰＩ（Ｐｉｘｅｌ  Ｐｅｒ  Ｉｎｃｈ）、アイコンが配置されるセルの大きさ（横×縦）は、互いに同じであるか、または異なりうる。例えば、図１において、デバイス１０及びデバイス２０は、４．８ｉｎｃｈの大きさ、７２０×１２８０の解像度、２４０  ＰＰＩ、４×５セルの大きさを有することができる。デバイス３０は、１０．１ｉｎｃｈの大きさ、１２８０×８００の解像度、１４９  ＰＰＩ、８×５タイルの大きさを有することができる。デバイス４０は、４６ｉｎｃｈの大きさ、３９４０×２１６０解像度、９６  ＰＰＩ、８×１５セルの大きさを有することができる。図１において、デバイス１０及びデバイス２０はスマートフォン、デバイス３０はタブレット機器、デバイス４０はデジタルＴＶなどになることができる。
【００１８】
以下、本発明に対する説明において、第１デバイスは、他のデバイス（例えば、第２デバイス）からアイコンのレイアウトに関する情報を受信するデバイスである。ここで、第１デバイス及び第２デバイスのそれぞれは、前述したデバイス１０、２０、３０、４０のうちの何れか一つになることができるが、便宜上、第１デバイスはデバイス１０、第２デバイスはデバイス２０と説明する。
図２Ａないし図２Ｃは、本発明の一実施の形態にかかるデバイスの画面上にアイコンのレイアウトを示す図である。
【００１９】
図２Ａないし図２Ｃに示すように、第１デバイス１０または第２デバイス２０の画面上には、複数のアイコンが配置されて表示されることができる。このとき、第１デバイス１０または第２デバイス２０は、例えばユーザのジェスチャーに応じて選択的に複数のページのうちの何れか一つを提供できる。そして、画面上には、ユーザの選択したページに含まれるアイコンが表示されることができる。各ページは、複数のセルを含むことができ、アイコンは、複数のセルのうち、少なくとも一つ以上のセルに表示されることができる。
【００２０】
さらに具体的に、図２Ａは、第１デバイス１０または第２デバイス２０のホームスクリーンの第１番目のページ上のアイコンのレイアウトを示す図である。複数のアイコンは、４×５（横×縦）セル２１９領域内で配置されることができる。図２Ａの画面におけるアイコンは、例えば、天気アプリケーションと関連した天気ウィジェットアイコン２１１、検索アプリケーションと関連した検索ウィジェットアイコン２１４、他の特定アプリケーションを実行するためのショートカットアイコン２１２、２１３などを含むことができる。
【００２１】
図２Ｂは、第１デバイス１０または第２デバイス２０のホームスクリーンの第２番目のページ上のアイコンのレイアウトを示す図である。また、複数のアイコンは、４×５（横×縦）セル２３９領域内で配置されることができる。図２Ｂの画面においてアイコンは、例えば、メモアプリケーションと関連したメモウィジェットアイコン２３４、他の特定アプリケーションを実行するためのショートカットアイコン２３１、２３２、２３３などを含むことができる。
【００２２】
例えば、図２Ａ及び図２Ｂに示すように、第１デバイス１０または第２デバイス２０の画面上の複数のアイコンのレイアウトに関する情報は、第１デバイス１０または第２デバイス２０でＬａｕｎｃｈｅｒプログラムが実行される時に接近するＬａｕｎｃｈｅｒ．ｄｂのＦａｖｏｒｉｔｅテーブルに格納されることができる。ここで、Ｌａｕｎｃｈｅｒプログラムは、ユーザが特定機能を実行する時に不便さを減らすことができるように、該当機能に対するユーザインタフェース機能を強調したソフトウェアプログラムである。
【００２３】
例えば、格納されたレイアウトに関する情報は、アイコンが位置するページ情報、アイコンに対応するアプリケーションの識別情報、アプリ／ショートカット／フォルダ／ウィジェットなどのようなアイコンのタイプを表すアイコンタイプ情報、アイコンが配置されるセル領域での位置座標（Ｘ、Ｙ）、アイコンが表示されるセル領域の大きさ（横×縦）、アプリケーションに対応するウィジェットが複数である場合に、ウィジェットを識別するウィジェット識別情報のうち、少なくとも一つを含むことができる。
【００２４】
Ｌａｕｎｃｈｅｒプログラムは、端末のブート時にアイコンレイアウトに関する情報を獲得できる。あるいは、ユーザがアイコンレイアウトを変更する場合、Ｐａｃｋａｇｅ  Ｍａｎａｇｅｒでこれを感知し、これと関連した情報、例えばＡＣＴＩＯＮ＿ＰＡＣＫＡＧＥ＿ＡＤＤＥＤ、ＡＣＴＩＯＮ＿ＰＡＣＫＡＧＥ＿ＣＨＡＮＧＥＤ、ＡＣＴＩＯＮ＿ＰＡＣＫＡＧＥ＿ＲＥＭＯＶＥＤなどの情報をＬａｕｎｃｈｅｒプログラムに提供できる。Ｌａｕｎｃｈｅｒプログラムは、提供された情報を利用してＬａｕｎｃｈｅｒ．ｄｂの格納されたアイコンレイアウトに関する情報をアップデートできる。
【００２５】
図２Ａ及び図２Ｂに示すように、第１デバイス１０または第２デバイス２０の画面上に表示されるアイコンのレイアウトに関する情報は、下記の表１のとおりである。表１において、例えば、（１，１）、(１，３)のような座標は、４×５（横×縦）セル領域２１９の特定セルに対応できる。
【００２６】
【表１】
0006046272.tif 000002
【００２７】
図２Ｃは、第１デバイス１０または第２デバイス２０のアプリケーション目録スクリーンの第１番目のページ上のアイコンのレイアウトを示す図である。複数のアイコンは、４×５（横×縦）セル領域２１９内で配置されることができる。図２Ｃの画面においてアイコンは、他のアプリケーションを実行するためのショートカットアイコン２５１、２５２、２５３、２５４及び複数のアイコンを含むフォルダアイコン２５５、２５６を含むことができる。このとき、複数のアイコンのレイアウトに関する情報には、各アイコンが配置される順序情報を含むことができる。例えば、アイコン２５１、２５２、２５３、２５４は、それぞれ第１番目、第２番目、第３番目、第４番目のようなアイコンの順序情報を含むことができる。
【００２８】
上述したレイアウト及びレイアウト情報に関する内容は、第１デバイス１０または第２デバイス２０がスマートフォンでないデジタルＴＶ、タブレット機器またはＰＣである場合にも、同一または類似の方式で適用されることができる。
【００２９】
第１デバイス１０または第２デバイス２０の画面上にアイコンの配置は、アイコンを生成、削除、移動したり、アイコンの大きさを調節したり複数のアイコンをフォルダとして形成する他のデバイスにより、またはユーザによる操作を介して変更できる。アイコンレイアウトに関する情報には、前記のようなアイコンの変更履歴を含むことができる。
【００３０】
また、アイコンレイアウトに関する情報は、アイコンに対応するアプリケーションのインストール状態を含むことができる。例えば、アイコンに対応するアプリケーションのインストール状態では、アプリケーションが第１デバイス１０または第２デバイス２０にインストールされたアプリケーションであるか、またはアプリケーションが第１デバイス１０または第２デバイス２０にインストールされていないがユーザがアイコンを選択する時にインストールされることのできるアプリケーションであるか、第１デバイス１０または第２デバイス２０にはインストールされることのできないアプリケーションであるかに対する情報などを含むことができる。
図３は、本発明の一実施の形態にかかる電子デバイスの構成を示すブロック図である。
【００３１】
図３に示すように、電子デバイス、例えば、第１デバイス１０は、通信部３１０、ユーザ入力部３２０、ディスプレイ部３３０、オーディオ処理部３４０、格納部３５０、インタフェース部３６０、電源供給部３７０及び制御部（例えば、ハードウェアプロセッサ）３８０を備えることができる。図３に示す構成要素は必須なものではないから、それより多い構成要素を有するか、またはそれより少ない構成要素を有するデバイスが具現されることもできる。
【００３２】
通信部３１０は、第１デバイス１０と他のデバイス２０、３０、４０間の通信、第１デバイス１０と他のデバイス２０、３０、４０が位置したネットワーク間の通信、または第１デバイス１０と第１デバイス１０の外部に位置したサーバ（図示せず）間の通信を可能にする一つ以上のモジュール備えることができる。例えば、通信部３１０は、放送受信モジュール３１１、移動通信モジュール３１２、無線インターネットモジュール３１３、近距離通信モジュール３１４及び位置情報モジュール３１５のうち、少なくとも一つを含むことができる。
【００３３】
放送受信モジュール３１１は、放送チャネルを介して外部の放送管理サーバから放送信号及び／または放送関連した情報を受信する。前記放送チャネルは、衛星チャネル、地上波チャネルを含むことができる。前記放送管理サーバは、放送信号及び／または放送関連情報を生成して送信するサーバ、または予め生成された放送信号及び／または放送関連情報を受信して端末機に送信するサーバを意味できる。前記放送信号は、ＴＶ放送信号、ラジオ放送信号、データ放送信号を含むだけでなく、ＴＶ放送信号またはラジオ放送信号にデータ放送信号が結合した形態の放送信号も含むことができる。前記放送関連情報は、放送チャネル、放送プログラムまたは放送サービス提供者に関連した情報を意味できる。前記放送関連情報は、移動通信網を介しても提供されることができる。このような場合には、移動通信モジュール３１２により受信されることができる。前記放送関連情報は、多様な形態として存在できる。例えば、ＤＭＢ（Ｄｉｇｉｔａｌ  Ｍｕｌｔｉｍｅｄｉａ  Ｂｒｏａｄｃａｓｔｉｎｇ）のＥＰＧ（Ｅｌｅｃｔｒｏｎｉｃ  Ｐｒｏｇｒａｍ  Ｇｕｉｄｅ）またはＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）のＥＳＧ（Ｅｌｅｃｔｒｏｎｉｃ  Ｓｅｒｖｉｃｅ  Ｇｕｉｄｅ）などの形態として存在できる。放送受信モジュール３１１は、各種放送システムを利用して放送信号を受信するが、特に、ＤＭＢ−Ｔ（Ｄｉｇｉｔａｌ  Ｍｕｌｔｉｍｅｄｉａ  Ｂｒｏａｄｃａｓｔｉｎｇ−Ｔｅｒｒｅｓｔｒｉａｌ）、ＤＭＢ−Ｓ（Ｄｉｇｉｔａｌ  Ｍｕｌｔｉｍｅｄｉａ  Ｂｒｏａｄｃａｓｔｉｎｇ−Ｓａｔｅｌｌｉｔｅ）、ＭｅｄｉａＦＬＯ（Ｍｅｄｉａ  Ｆｏｒｗａｒｄ  Ｏｎｌｙ）、ＤＶＢ−Ｈ（Ｄｉｇｉｔａｌ  Ｖｉｄｅｏ  Ｂｒｏａｄｃａｓｔ−Ｈａｎｄｈｅｌｄ）、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔ−Ｔｅｒｒｅｓｔｒｉａｌ）などのデジタル放送システムを利用して、デジタル放送信号を受信することができる。もちろん、前記放送受信モジュール３１１は、上述したデジタル放送システムだけでなく、放送信号を提供する他の放送システムに適するように構成されても良い。放送受信モジュール３１１を介して受信された放送信号及び／または放送関連情報は、格納部３５０に格納されることができる。
【００３４】
移動通信モジュール３１２は、移動通信網上において基地局、外部の端末、サーバのうち、少なくとも一つと無線信号を送受信する。前記無線信号は、音声呼信号、画像通話呼信号または文字／マルチメディアメッセージの送受信による多様な形態のデータを含むことができる。
【００３５】
無線インターネットモジュール３１３は、無線インターネット接続のためのモジュールのことを意味し、無線インターネットモジュール３１３は、第１デバイス１０に内装または外装されることができる。無線インターネット技術には、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などが利用されることができる。
【００３６】
近距離通信モジュール３１４は、近距離通信のためのモジュールのことをいう。近距離通信技術には、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ，ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅなどが利用されることができる。
【００３７】
位置情報モジュール３１５は、移動端末機の位置を確認するか、または得るためのモジュールである。前記位置情報モジュール３１５は、汎地球的衛星航法システム（Ｇｌｏｂａｌ  Ｎａｖｉｇａｔｉｏｎ  Ｓａｔｅｌｌｉｔｅ  Ｓｙｓｔｅｍ，ＧＮＳＳ）を利用して位置情報を獲得できる。ここで、汎地球的衛星航法システム（ＧＮＳＳ）は、地球を公転して無線航法受信機の所定のタイプが地表面または地表面の近くのそれらの位置を決定できる基準信号を送る無線航法衛星システムを説明するために利用される用語である。前記汎地球的衛星航法システム（ＧＮＳＳ）には、米国で運営するＧＰＳ（Ｇｌｏｂａｌ  Ｐｏｓｉｔｉｏｎ  Ｓｙｓｔｅｍ）、ヨーロッパで運営するガリレオ（Ｇａｌｉｌｅｏ）、ロシアで運営するＧＬＯＮＡＳＳ（Ｇｌｏｂａｌ  Ｏｒｂｉｔｉｎｇ  Ｎａｖｉｇａｔｉｏｎａｌ  Ｓａｔｅｌｌｉｔｅ  Ｓｙｓｔｅｍ）、中国で運営するＣＯＭＰＡＳＳ、及び日本で運営するＱＺＳＳ（Ｑｕａｓｉ−Ｚｅｎｉｔｈ  Ｓａｔｅｌｌｉｔｅ  Ｓｙｓｔｅｍ）などがある。
【００３８】
ユーザ入力部３２０は、ユーザが第１デバイス１０の動作制御のための入力データを発生させることができる。ユーザ入力部３２０は、サイドキー、別に設けられたタッチパッド、ジョグホイール、ジョグスイッチ、キーパッドドームスイッチなどから構成されることができる。また、ユーザ入力部３２０は、第１デバイス１０のターンオンまたはターンオフ遂行のためのボタンキー、第１デバイス１０が支援する基本画面への復帰を支援するホームキーなどを含むことができる。また、ユーザ入力部３２０は、第１デバイス１０の外部に位置するリモコンの構成要素の一部になることができる。この場合、ユーザは、前記リモコンの操作を介して第１デバイス１０の動作を制御できる。
【００３９】
ディスプレイ部３３０は、デバイスにより処理される情報を表示する表示パネル３３１、及びタッチスクリーン入力動作のようなユーザによる入力機能を行う入力パネル３３２を具備できる。このとき、入力パネル３３２は、指、ペンなどの各種の物体を利用したユーザのシングルまたはマルチタッチ入力、ドラッグ入力、筆記入力、ドローイング入力などの各種入力を感知できる少なくとも一つ以上のパネルにより具現化されることができる。また、入力パネル３３２は、指入力感知及びペン入力感知の両方が可能な一つのパネルを利用して具現化されることもでき、指入力感知の可能なタッチパネル（図示せず）とペン入力感知の可能なペン認識パネル（図示せず）のように二つのパネルを利用して具現化されることもできる。
【００４０】
表示パネル３３１は、液晶ディスプレイ（Ｌｉｑｕｉｄ  Ｃｒｙｓｔａｌ  Ｄｉｓｐｌａｙ）、薄膜トランジスタ液晶ディスプレイ（Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ）、有機発光ダイオード（Ｏｒｇａｎｉｃ  Ｌｉｇｈｔ−Ｅｍｉｔｔｉｎｇ  Ｄｉｏｄｅ）、フレキシブルディスプレイ（Ｆｌｅｘｉｂｌｅ  Ｄｉｓｐｌａｙ）、３次元ディスプレイ（３Ｄ  ｄｉｓｐｌａｙ）などのようなパネルになることができる。表示パネル３３１は、第１デバイス１０の各種の動作状態、アプリケーション実行及びサービスなどに応じる多様な画面を表示できる。
【００４１】
入力パネル３３２は、ユーザのタッチ入力を感知できる。入力パネル３３２は、タッチ入力を感知し、感知されたタッチ信号に該当するタッチイベント値を出力する。このとき、感知されたタッチ信号に対応する情報が表示パネル３３１上に表示されることができる。入力パネル３３２は、多様な入力手段によってユーザのタッチ入力による操作信号を受け取ることができる。例えば、入力パネル３３２は、ユーザの人体（例えば、指）や物理的な道具などを含むタッチ入力を感知できる。このような入力パネル３３２は、例えば、静電容量方式タッチパネルなどから構成されることができる。静電容量方式タッチパネルから構成された場合、入力パネル３３２は、ガラスの両面に薄い金属導電性物質（例えば、ＩＴＯ（Ｉｎｄｉｕｍ  Ｔｉｎ  Ｏｘｉｄｅ：酸化インジウム錫）膜等）をコーティングして、ガラス表面に電流が流れるようにし電荷を格納することができる誘電体でコーティングして構成される。このような入力パネル３３２上に物体により表面がタッチされると、静電気により一定量の電荷が接触位置に移動し、入力パネル３３２は、電荷の移動に応じる電流の変化量を認識して、タッチされた位置を感知するようになり、タッチイベントを追跡する。ここで、入力パネル３３２から発生するタッチイベントは、主に人の指により生成されることができるが、静電容量の変化を加えることのできる他の物体、例えば、導電性材質の物体によっても生成されることができる。
【００４２】
オーディオ処理部３４０は、オーディオ信号収集のためのマイク（図示せず）及びオーディオ信号出力のためのスピーカー（図示せず）のうち、少なくとも一つを含むことができる。
【００４３】
マイクは、通話モードまたは録音モード、音声認識モードなどでマイクロホンにより外部の音響信号を受け取って、電気的な音声データとして処理する。処理された音声データは、通話モードの場合、移動通信モジュール３１２を介して移動通信基地局に送信可能な形態に変換されて出力されることができる。マイクには、外部の音響信号を受け取る過程から発生する雑音を除去するための多様な雑音除去アルゴリズムが具現されることができる。
【００４４】
スピーカーは、呼信号受信、通話モードまたは録音モード、音声認識モード、放送受信モードなどで通信部３１０から受信されたり格納部３５０に格納されたオーディオデータを出力できる。また、スピーカーは、イヤホンジャック（図示せず）を介してオーディオデータを出力できる。ユーザは、前記イヤホンジャックにイヤホンを接続して出力される音響を聞くことができる。
【００４５】
格納部３５０は、第１デバイス１０の動作のための多様なプログラムとデータを格納することができる。例えば、格納部３５０は、運用体制などを格納することができ、ディスプレイ部３３０上に画面出力を支援する機能プログラムを格納することができる。また、格納部３５０は、入力及び出力されるデータを一時格納することができる。
【００４６】
格納部３５０は、フラッシュメモリ（Ｆｌａｓｈ  Ｍｅｍｏｒｙ）、ハードディスク（Ｈａｒｄ  Ｄｉｓｋ）、マルチメディアカード（Ｍｕｌｔｉｍｅｄｉａ  Ｃａｒｄ）、カードメモリ、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち、少なくとも一つを含むことができる。また、デバイスは、インターネット上で前記格納部３５０の格納機能を行うウェブストレージ（Ｗｅｂ  Ｓｔｏｒａｇｅ）と関連して動作することもできる。
【００４７】
インタフェース部３６０は、第１デバイス１０に接続するすべての外部機器との通路役割をする。インタフェース部３６０は、外部機器からデータを送信されるか、または電源の供給を受けて、第１デバイス１０内部の各構成要素に伝達するか、または第１デバイス１０内部のデータが外部機器に送信されるようにする。例えば、有／無線ヘッドセットポート、外部充電器ポート、有／無線データポート、メモリカード（ｍｅｍｏｒｙ  ｃａｒｄ）ポート、識別モジュールが備えられた装置を接続するポート、オーディオＩ／Ｏ（Ｉｎｐｕｔ／Ｏｕｔｐｕｔ）ポート、ビデオＩ／Ｏ（Ｉｎｐｕｔ／Ｏｕｔｐｕｔ）ポート、イヤホンポートなどがインタフェース部３６０に含まれることができる。ここで、識別モジュールは、第１デバイス１０の使用権限を認証するための各種の情報を格納したチップとして、ユーザ認証モジュール（Ｕｓｅｒ  Ｉｎｄｅｎｔｉｆｙ  Ｍｏｄｕｌｅ、ＵＩＭ）、加入者認証モジュール（Ｓｕｂｓｃｒｉｂｅｒ  Ｉｄｅｎｔｉｔｙ  Ｍｏｄｕｌｅ、ＳＩＭ）、汎用ユーザ認証モジュール（Ｕｎｉｖｅｒｓａｌ  Ｓｕｂｓｃｒｉｂｅｒ  Ｉｄｅｎｔｉｔｙ  Ｍｏｄｕｌｅ、ＵＳＩＭ）などを含むことができる。識別モジュールが備えられた装置は、スマートカード（ｓｍａｒｔ  ｃａｒｄ）形式でも製作されることができる。したがって、識別装置は、ポートを介してデバイス１０と接続されることができる。一方、インタフェース部３６０は、第１デバイス１０が外部クレードル（ｃｒａｄｌｅ）と接続されるとき、前記クレードルからの電源が前記第１デバイス１０に供給される通路になるか、またはユーザにより前記クレードルから入力される各種の命令信号が前記第１デバイス１０に伝達される通路になることができる。
【００４８】
制御部３８０は、第２デバイス２０からレイアウトに関する情報を受信して第１デバイス１０の画面上に複数のアイコンを表示できる。このような構成を基盤として制御部３８０は、複数のアイコンを表示するための信号処理とデータ処理及び機能運用を制御できる。例えば、制御部３８０は、第２デバイス２０の画面上に表示されるレイアウトに関する情報を受信し、受信されたレイアウトに関する情報を利用して第１デバイス１０の画面上に表示される複数のアイコンのレイアウトを決定し、決定されたレイアウトに沿ってディスプレイ部３３０に複数のアイコンを表示できる。
電源供給部３７０は、制御部３８０の制御により外部の電源、内部の電源を受け取って各構成要素の動作に電源を供給する。
【００４９】
ここで説明される多様な実施の形態は、例えば、ソフトウェア、ハードウェアまたはこれらが組み合わせられたものを利用して、コンピュータまたはこれと類似の装置で読むことのできる記録媒体内で具現化されることができる。ハードウェア的な具現によれば、ここで説明される実施の形態は、ＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ（Ｐｒｏｃｅｓｓｏｒｓ）、制御機（Ｃｏｎｔｒｏｌｌｅｒｓ）、マイクロコントローラ（Ｍｉｃｒｏ−Ｃｏｎｔｒｏｌｌｅｒｓ）、マイクロプロセッサー（Ｍｉｃｒｏｐｒｏｃｅｓｓｏｒｓ）、機能を行うための電気的なユニットのうち、少なくとも一つを利用して具現されることができる。一部の場合、そういう実施の形態が制御部４８０により具現化されることができる。ソフトウェア的な具現によれば、手順や機能のような実施の形態は、少なくとも一つの機能または作動を行うようにする別個のソフトウェアモジュールと共に具現されることができる。ソフトウェアコードは、適切なプログラム言語で書かれたソフトウェアアプリケーションにより具現されることができる。また、ソフトウェアコードは、格納部３５０に格納され、制御部３８０により実行されることができる。
図４は、本発明の一実施の形態にかかるデバイスの制御部の機能ブロックを示す。
図４に示すように、制御部３８０は、レイアウト要請機能３８１、レイアウト管理機能３８２及びアイコン表示機能３８５を含むことができる。
【００５０】
レイアウト要請機能３８１を利用して、制御部３８０は、サーバまたは第２デバイス２０からアイコンのレイアウトに関する情報を要請できる。例えば、レイアウト要請機能３８１は、通信部３１０を介してデバイスをサーバまたは第２デバイス２０と接続する。そして、レイアウト要請機能３８１は、ユーザから受け取ったユーザ情報（ＩＤ及びパスワード）または格納部３５０に予め格納されたユーザ情報を利用して、サーバまたは第２デバイス２０にログインを要請できる。
【００５１】
サーバには、複数のデバイスの各々に対応する複数のレイアウトに対する情報がありうる。したがって、第１デバイス１０がサーバからの前記複数のレイアウトに関する情報を提供する場合、レイアウト要請機能３６１は、サーバからこのうち、ユーザによって選択されたデバイスに対応するレイアウトに対する情報を要請できる。
【００５２】
レイアウト管理機能３８２は、レイアウト受信機能３８３及びレイアウト決定機能３８４を含むことができる。レイアウト受信機能３８３は、第２デバイス２０またはサーバから第２デバイス２０の画面上にアイコンが表示されるレイアウトに関する情報を受信する機能を行う。レイアウト決定機能３８４は、受信したレイアウトに関する情報を利用して、第１デバイスの画面上に表示される複数のアイコンのレイアウトを決定する機能を行う。
【００５３】
アイコン表示機能３８５を利用して、制御部３８０は、レイアウト管理機能３８２で決定されたアイコンのレイアウトに沿って複数のアプリケーションに対応するアイコンをデバイスのディスプレイ３３０に表示する。また、アイコン表示機能３８５は、前記アイコンに対応するアプリケーションの状態に基づいて、デバイスの画面上にアイコンを表示できる。例えば、アイコン表示機能３８５は、アイコンに対応するアプリケーションがデバイスにインストールされたかどうか、そして、インストールが可能であるかどうかによって画面上に表示されるアイコンの表示を各々異なるようにすることができる。
【００５４】
図５は、本発明の一実施の形態にかかるデバイスの制御部の動作を示すフローチャートである。特に、図５は、第２デバイス２０のレイアウト情報を受信する第１デバイス１０の制御部３８０の動作を示す。
【００５５】
図５に示すように、ステップＳ５０１にて、制御部３８０は、アイコンのレイアウトに関する情報を受信する。例えば、上述したように、受信するレイアウトに関する情報は、第２デバイス２０の画面の大きさ、解像度、ＰＰＩ（Ｐｉｘｅｌ  Ｐｅｒ  Ｉｎｃｈ）、アイコンが配置されるセル領域の大きさのうち、少なくとも一つを含む。また、アイコンのレイアウトに関する情報は、全体ページの個数、アイコンが位置するページ情報、アイコンに対応するアプリケーションの識別情報、アイコンタイプ情報、アイコンが配置されるセル領域での位置座標、セルの大きさ、アプリケーションが対応するウィジェットがいくつかの場合、ウィジェット識別情報のうち、少なくとも一つを含むことができる。また、アイコンのレイアウトに関する情報は、アイコンの変更履歴、アイコン別アイコンに対応するアプリケーションのインストール状態と関連した情報を含むことができる。レイアウト受信部３８３は、受信した配置形態に関する情報をレイアウト決定部３８４に伝達できる。
【００５６】
ステップＳ５０２にて、制御部３８０は、受信したレイアウト情報を利用して、第１デバイス１０の画面上に表示されるアイコンを含むページのレイアウトを決定する。
例えば、制御部３８０は、第１及び第２デバイス１０、２０の画面の大きさに基づいて、第１デバイス１０の画面に表示するページの個数を決定できる。
【００５７】
また、制御部３８０は、第１及び第２デバイス１０、２０で使用されるＰＰＩ値を考慮できる。例えば、第１デバイス１０の画面が４６ｉｎｃｈの大きさで、第２デバイス２０の画面が約１０倍の大きさである４．８ｉｎｃｈの大きさを有する場合、第２デバイス２０の１０個のページが第１デバイス１０の一つの画面に表示されることができる。しかしながら、一般的に第２デバイス１０より大きな画面を有している第１デバイス１０のＰＰＩ値は、第２デバイス２０のＰＰＩ値より小さいから、第１デバイス１０に表示されるページの個数は、１０個のページより少ない個数になることができる。また、第１デバイス１０がＴＶのように遠くの距離でユーザが視聴する機器である場合、ページの個数が多いほど、アイコンの大きさが小さくなるため、ユーザがみることができるアイコンの大きさを考慮して、第１デバイス１０上に実質的に表示されるページの個数はさらに減ることができる。
【００５８】
制御部３８０は、第１デバイス１０上に表示されるページの個数が決定されると、第１デバイス１０の画面上にページが表示される位置を決定する。例えば、第１デバイス１０の一つの画面上に第２デバイス２０の６個のページが表示される場合、ページの順序に応じて第２デバイス２０の第１番目から第３番目のページは、第１デバイス１０の画面に上段に位置し、第２デバイス２０の第４番目のページから第６番目のページは、第１デバイス１０の画面の下段に位置できる。
図６は、本発明の一実施の形態によってデバイス間にページレイアウトが共有される画面を示す。
【００５９】
図６に示すように、デバイス６１０、６３０、６５０は、それぞれ４．８ｉｎｃｈ、１０．１ｉｎｃｈ、４６ｉｎｃｈの画面を有することができる。デバイス６１０の一つの画面には、一つのページ６１１が表示される。そして、残りのページ６１２、６１３、６１４、６１５、６１６は、ユーザのｓｗｉｐｅジェスチャーに応じて順次にデバイス６１０の画面上に表示されることができる。
【００６０】
デバイス６３０の一つの画面には、デバイス６１０の画面に選択的に表示される二つのページ６１１、６１２に対応するページ６３１、６３２が表示されることができる。そして、デバイス６１０の残りのページ６１３、６１４、６１５、６１６に対応するデバイス６３０のページ６３３、６３４、６３５、６３６は、ユーザのジェスチャーに応じて順次に二つのページずつデバイス６３０の画面上に表示されることができる。また、デバイス６１０に選択的に表示される６個のすべてのページ６１１、６１２、６１３、６１４、６１５、６１６がデバイス６５０の一つの画面にページ６５１ないし６５６として表示されることができる。
【００６１】
デバイス６１０、６３０、６５０間に一つの画面に同時に表示されるページの個数が変わる場合、各デバイス６１０、６３０、６５０において全体ページのうち、現在画面上に表示されるページの位置を表す複数のドット（ｄｏｔ）から構成された表示子（ｉｎｄｉｃｉａ）６１７、６３７の全体個数は変わりうる。
【００６２】
例えば、デバイス６１０の画面に一個のページだけが表示される場合、６回のユーザのジェスチャー（例としてフリックジェスチャー）によって６個のページが順次に表示されることができる。この場合、表示子６１７は、表示できるページが６個で、現在の画面に表示中であるページが６個のページのうちのどの位置に該当しているかどうかを表すことができる。
【００６３】
また、デバイス６３０の一つの画面に同時に二つのページが表示される場合、３回のユーザのジェスチャーによって６個のページが二つのページずつ順次に表示されることができる。この場合、表示子６３７は、表示できるページのグループが３個で、このうち、現在画面に表示中であるページのグループが三個のグループのうちのどの位置に該当しているかどうかを表すことができる。
【００６４】
また、デバイス６５０の画面には、同時に６個のページが表示されることができるから、表示子は省略されることができる。このように、デバイス６１０、６３０、６４０に一つの画面に表示できるページの個数が増加するほど、デバイス６１０、６３０、６５０の画面上に表示される表示子の個数は減少できる。
図５を再度参照すれば、ステップＳ５０３にて、制御部３８０は、第１デバイス１０の画面上に表示されるアイコンのレイアウトを決定する。
【００６５】
具体的に、制御部３８０は、第２デバイス２０のページ情報及び前記ページに含まれたアイコンの位置と大きさに対する情報を利用して、前記第２デバイス２０のページと対応する第１デバイス１０のページ上に複数のアイコンを配置できる。例えば、制御部３８０は、第２デバイス２０のページと対応する第１デバイス１０のページ上に第２デバイス２０のページに含まれたアイコンの位置及び大きさと同一または類似の形態で複数のアイコンを配置できる。
図７は、本発明の他の一実施の形態によってデバイス間にアイコンレイアウトが共有される画面を示す。
【００６６】
図７に示すように、デバイス７１０は、デバイス７５０からアイコンのレイアウトに関する情報を受信する。ここで、デバイス７１０の第１ページ７２０は、デバイス７５０の第１ページ７６０に対応し、デバイス７１０の第２ページ７３０は、デバイス７５０の第２ページ７７０に対応できる。
【００６７】
デバイス７１０は、デバイス７５０からアイコンレイアウトに関する情報を受信して、デバイス７１０の画面上に複数のアイコンを表示できる。例えば、デバイス７１０は、デバイス７５０の天気ウィジェットアイコン７６１が位置するページに関する情報、前記アイコン７６１が配置されるセル領域の位置を表す座標である（１，１）、及び前記アイコン７６１が表示されるセル領域の大きさである４×５の値をデバイス７５０から受信することができる。そして、受信した情報を利用してデバイス７１０は、デバイス７１０の天気ウィジェットアイコン７２１が位置するページ、セルにおいてアイコンが配置される位置座標、アイコンが表示されるセルの大きさを決定できる。例えば、デバイス７１０は、天気ウィジェットアイコン７２１が位置するページを画面上の左側ページ、アイコンが配置されるセルでの位置座標を左側ページ上に（１，１）、アイコンが表示されるセルの大きさを左側ページ上に４×５の値として決定できる。
【００６８】
同じ方式で、デバイス７１０は、デバイス７５０から受信したアイコン７６２、７６３、７６４のそれぞれに対するレイアウトに関する情報を利用して、デバイス７１０の画面上に配置するアイコン７２２、７２３、７２４の画面上に位置するページ、アイコンが配置されるセルでの位置座標、アイコンが表示されるセル領域の大きさなどを決定できる。
【００６９】
このとき、第１及び第２ページ７２０、７３０に表示されるアイコン７４４、７４５、７４６、７４７は、第１及び第２ページ７２０、７３０のそれぞれにすべて表示されることができる。または、第１及び第２ページ７２０、７３０のうちの何れか一つのページだけに表示されるか、または第１及び第２ページ７２０、７３０の中央７４９を基準として第１ページ７２０にアイコン７４４、７４５、７４６、７４７の一部が表示され、第２ページ７３０にアイコン７４４、７４５、７４６、７４７の他の一部が表示されることができる。
【００７０】
また、第１及び第２ページ７２０、７３０の位置を表す複数のドットから構成された表示子７４８もまた、第１及び第２ページ７２０、７３０のそれぞれにすべて表示されることができる。または、第１及び第２ページ７２０、７３０のうちの何れか一つのページだけに表示されるか、または第１及び第２ページ７２０、７３０の中央７４９を基準として、第１ページ７２０に表示子７４８の一部が第２ページ７３０に表示子７４８の他の一部が表示されることができる。
【００７１】
図５を再度参照すれば、ステップＳ５０４にて、制御部３５０は、第１デバイス１０の画面上に表示されたアイコンに対応するアプリケーションのインストール状態を確認する。そして、制御部３８０は、アプリケーションのインストール状態に応じてアイコンの表示形態を異なるようにすることができる。例えば、アイコンまたはアイコンの一部の色、明度、明るさを異なるようにするか、またはアイコンが含まれたセルの色、明度、明るさを異なるようにすることができる。
【００７２】
ステップＳ５０５にて、制御部３８０は、アイコンに対応するアプリケーションが第１デバイス１０にインストールされたアプリケーションであるかどうかを確認することができる。仮に、アイコンに対応するアプリケーションがインストールされたアプリケーションである場合、第１デバイス１０は、アイコンをインストールされたアイコンの形態で表示できる（Ｓ５０６）。これに対し、アイコンに対応するアプリケーションがまだインストールされていない場合、第１デバイス１０は、前記アプリケーションが第１デバイス１０にインストール可能なアプリケーションであるかどうかを確認することができる（Ｓ５０７）。
【００７３】
そして、前記アプリケーションが第１デバイス１０にインストール可能なアプリケーションである場合、制御部３８０は、アイコンをインストール可能なアイコンの形態で表示できる（Ｓ５０８）。アイコンがインストール可能なアイコンの形態で表示された場合、ユーザは、前記アイコンを選択するジェスチャーなどを介して、前記アイコンに対応するアプリケーションのインストールを要請できる。
【００７４】
第１デバイス１０は、ユーザが前記アイコンに対応するアプリケーションのインストールを要請する場合、前記アイコンに対応するアプリケーションをインストールすることができる（Ｓ５０９）。そして、図５に示していないが、第１デバイス１０は、前記アプリケーションに対応するアイコンをインストールされたアイコンの形態に変更して表示できる（Ｓ５０６）。
【００７５】
一方、ステップＳ５０７にてアイコンに対応するアプリケーションが第１デバイス１０にインストール不可能なアイコンである場合、制御部３８０は、アイコンをインストール不可能なアイコンの形態として表示できる（Ｓ５１０）。
【００７６】
本発明の他の一実施の形態によれば、アプリケーションインストールは、第１デバイス１０によって自動的になされるか、またはユーザによって行われることができる。
【００７７】
第１デバイス１０によって自動的になされる場合、第１デバイス１０の画面上に表示されるアイコンの一部は、アプリケーションがインストールされたアイコンの形態として、他の一部は、アプリケーションがインストールされないアイコンの形態として表示されることができる。これに対し、アプリケーションインストールがユーザによって行われる場合、第１デバイス１０の画面上には、表示されるアイコンの一部は、アプリケーションがインストール可能なアイコンの形態として、他の一部は、アプリケーションがインストールされないアイコンの形態で表示されることができる。そして、インストールされないアイコンの形態で表示されたアプリケーションに対してユーザがインストールを行った場合、前記アプリケーションがインストールされたアイコンの形態に変更されて表示されることができる。
【００７８】
このとき、特定アプリケーションが第１デバイス１０にインストール可能であるかまたはインストール可能でないかは、第１デバイス１０が、特定アプリケーションがインストール可能な範囲内であるかどうかを確認して決定できる。例えば、インストール可能な範囲としてアプリケーションの画面解像度、第１デバイス１０のＯＳバージョン、支援周辺機器などを考慮することができる。
【００７９】
図７に示すように、デバイス７１０のアイコンは、アイコンに対応するアプリケーションのインストール状態に応じて表示形態を異なるようにすることができる。例えば、デバイス７１０の第１ページ７２０上にアイコン７２１、７２４、７２５及び第２ページ７３０上にアイコン７３４、７３５、７３７、７３８、７３９、７４３は、対応するアプリケーションがデバイス７１０にインストール可能なアイコンとして太線枠を有することができる。また、デバイス７１０の第１ページ７２０上にアイコン７２３及び第２ページ７３０上にアイコン７３１、７３３、７３６、７４１は、対応するアプリケーションが第１デバイス７１０にインストールされることができるが、まだインストールされないアイコンとして実線枠を有することができる。デバイス７１０の第１ページ７２０上にアイコン７２２、７２６及び第２ページ７３０上にアイコン７３２、７４０、７４２は、対応するアプリケーションがデバイス７１０にインストールが不可能なアイコンとして点線枠を有するか、またはアイコンが半透明に表示されることができる。
【００８０】
他の実施の形態として、制御部３８０は、ユーザインタフェースを介したユーザの入力に応じて、第１デバイス１０上に表示されるページの個数及びアイコンの大きさを決定できる。例えば、第１デバイス１０は、ユーザに第１デバイス１０の一つの画面上に表示されるページの個数を入力するためのメニューを提供できる。そして、ユーザが入力したページ個数に応じて、制御部３８０は、第１デバイス１０の画面上に表示されるページの個数及びこれに応じるアイコンの大きさを決定できる。あるいは、第１デバイス１０は、ユーザにアイコンの大きさを決定するためのメニューを提供できる。そして、ユーザが入力したアイコンの大きさに応じて、制御部３８０は、第１デバイス１０の画面上に表示されるアイコンの大きさ及びこれに応じるページの個数を決定できる。一方、制御部３８０は、画面上にアイコンを表示する前に画面上に表示される複数のアイコンのレイアウトをプレビュー（Ｐｒｅｖｉｅｗ）画面に提供することもできる。
図８は、本発明の一実施の形態にかかるデバイス間にアイコンのレイアウトを共有する方法を示す手順図である。
【００８１】
図８に示すように、ユーザは、第２デバイス２０を利用してサーバ５０にユーザアカウントによるログインを行うことができる（Ｓ８１０）。このとき、第２デバイス２０は、ユーザの要請または自動的に第２デバイス２０の画面上にアイコンのレイアウトに関する情報をサーバ５０に送信できる（Ｓ８２０）。サーバ５０は、受信した第２デバイス２０のアイコンのレイアウトに関する情報をサーバの格納部に格納することができる（Ｓ８３０）。
【００８２】
次に、ユーザは、第１デバイス１０を利用してサーバ５０に第２デバイスと同じユーザアカウントによるログインを行うことができる（Ｓ８４０）。このとき、第１デバイス１０は、ユーザの要請または自動的に第２デバイス２０の画面上にアイコンのレイアウトに関する情報を要請できる（Ｓ８５０）。
【００８３】
サーバ５０は、第１デバイス１０の要請によって、サーバ５０の格納部で第２デバイス２０のアイコンのレイアウト情報を検索できる（Ｓ８６０）。そして、検索された第２デバイス２０のアイコンのレイアウトに関する情報を第１デバイス１０に送信できる（Ｓ８７０）。
【００８４】
第１デバイス１０は、サーバ５０から受信した第２デバイス２０のアイコンのレイアウトに関する情報を利用して、第１デバイス１０の画面上に表示されるアイコンのレイアウトを決定できる（Ｓ８８０）。そして、決定されたレイアウトに沿って、第１デバイス１０の画面上にアイコンを表示できる（Ｓ８９０）。
図９は、本発明の他の一実施の形態にかかるデバイス間にアイコンのレイアウトを共有する方法を示すフローチャートである。
【００８５】
図９に示すように、ユーザは、第１デバイス１０を利用してサーバ５０にユーザアカウントによるログインを行うことができる（Ｓ９１０）。このとき、第１デバイス１０は、ユーザの要請または自動的に他のデバイスのアイコンのレイアウトに関する情報を要請できる（Ｓ９２０）。第１デバイス１０の要請によって、サーバ５０は、サーバが保有したデバイス目録から同一ユーザアカウントの他のデバイスを検索できる（Ｓ９３０）。または、サーバ５０は、同一ユーザアカウントの他のデバイスではなくても、ユーザの知人またはユーザと特定のグループに属した他のユーザのデバイスを検索できる。このとき、サーバ５０は、ユーザが複数のデバイスの各々に対応する複数のアイコンのレイアウトのうちの何れか一つを選択するように要請する信号を提供する過程をさらに含むことができる。
【００８６】
次に、サーバ５０は、サーバ５０のよって自動的に検索されたか、またはユーザが選択した第２デバイス２０にアイコンのレイアウトに関する情報を要請できる（Ｓ９４０）。第２デバイス２０は、サーバ５０の要請によって、第２デバイス２０の画面上にアイコンのレイアウトに関する情報をサーバ５０に送信できる（Ｓ９５０）。そして、サーバ５０は、第２デバイス２０から受信した第２デバイス２０の画面上にアイコンのレイアウトに関する情報を第１デバイス１０に送信できる（Ｓ９６０）。
【００８７】
第１デバイス１０は、サーバ５０から受信した情報を利用して、第１デバイス１０の画面上に表示されるアイコンのレイアウトを決定できる（Ｓ９７０）。そして、決定されたレイアウトに沿って、第１デバイス１０の画面上にアイコンを表示できる（Ｓ９８０）。
図１０は、本発明のさらに他の一実施の形態にかかるデバイス間にアイコンのレイアウトを共有する方法を示すフローチャートである。
【００８８】
図１０に示すように、ユーザは、第２デバイス２０の画面上に表示されるアイコンのレイアウトを変更できる（Ｓ１０１０）。ユーザは、第２デバイス２０を利用してサーバ５０にユーザの計上によるログインを行うことができる（Ｓ１０１５）。このとき、第２デバイス２０は、ユーザの要請または自動的に第２デバイス２０の変更されたアイコンのレイアウトに関する情報をサーバ５０に送信できる（Ｓ１０２０）。サーバ５０は、第２デバイス２０の変更されたアイコンのレイアウトに関する情報を格納することができる（Ｓ１０２５）。
【００８９】
ユーザは、第１デバイス１０を利用してサーバ５０にユーザアカウントによるログインを行うことができる（Ｓ１０３０）。このとき、サーバ５０は、第２デバイス２０のアイコンレイアウトが変更されたことを表す情報を第１デバイス１０に送信することができる（Ｓ１０３５）。
【００９０】
第１デバイス１０は、サーバ５０からアイコンのレイアウト変更に関する情報を受信して、第１デバイス１０の画面上に第２デバイス２０のアイコンのレイアウトが変更されたことを知らせる表示をすることができる（Ｓ１０４０）。例えば、知らせる表示は、第１デバイス１０の画面上にポップアップウィンドウまたは第１デバイス１０の状態バー上にお知らせメッセージとして表示されることができる。
【００９１】
そして、第１デバイス１０は、前記メッセージを介したユーザの入力が第１デバイス１０の画面上にアイコンのレイアウトの変更を要請しているかどうかを確認することができる（Ｓ１０４５）。このとき、ユーザがアイコンのレイアウト変更に同意しない場合、第１デバイス１０は、画面上にアイコンのレイアウトを変更せず従来の画面上にアイコンのレイアウトを維持できる（Ｓ１０７０）。しかし、ユーザがアイコンのレイアウト変更に同意する場合、第１デバイス１０は、サーバ５０から第２デバイス２０の画面上に表示されるアイコンのレイアウト情報を要請できる（Ｓ１０５０）。
【００９２】
サーバ５０は、第１デバイス１０の要請によって、第２デバイス２０のアイコンのレイアウト情報を第１デバイス１０に送信できる（Ｓ１０５５）。第１デバイス１０は、サーバから受信した第２デバイス２０のアイコンのレイアウトに関する情報を利用して、第１デバイス１０の画面上に表示されるアイコンのレイアウトを決定できる（Ｓ１０６０）。そして、決定されたレイアウトによって第１デバイス１０の画面上にアイコンを表示できる（Ｓ１０６５）。
【００９３】
一方、第１デバイス１０は、別のお知らせメッセージを提供せず、サーバ５０にログインする際に第２デバイス２０のアイコンのレイアウトに関する情報を受信して、第１デバイス１０のアイコンのレイアウトを変更することもできる。
【００９４】
または、第２デバイス１０は、アイコンのレイアウトが変更された履歴を考慮して、選択的に第２デバイス２０のアイコンのレイアウトが変更されたことを知らせるメッセージを提供できる。例えば、第２デバイス２０においてアイコンのレイアウトが変更された履歴が、インストールされたアプリケーションが削除されることに応じて画面上にアイコンが削除されるか、またはアプリケーションがインストールされて画面上に新しいアイコンが生成される変更である場合、第２デバイス２０は、第１デバイス１０にアイコンのレイアウトに関する情報を送信できる。
図１１は、本発明のさらに他の一実施の形態にかかるデバイス間にアイコンのレイアウトを共有する方法を示す手順図である。
【００９５】
図１１に示すように、第１デバイス１０と第２デバイス２０との間にチャネルが形成されることができる（Ｓ１１１０）。例えば、チャネルは、無線インターネットあるいは近距離通信を利用して形成されることができる。
【００９６】
次に、第１デバイス１０は、第２デバイス２０に現在第２デバイス２０の画面上に表示されるアイコンのレイアウトに関する情報を要請できる（Ｓ１１２０）。そして、第２デバイス２０は、第１デバイス１０の要請によって、第２デバイス２０のアイコンのレイアウトに関する情報を第１デバイス１０に送信できる（Ｓ１１３０）。第１デバイス１０は、受信した第２デバイス２０のアイコンのレイアウトに関する情報を利用して、第１デバイス１０の画面上に表示されるアイコンのレイアウトを決定できる（Ｓ１１４０）。そして、決定されたレイアウトに沿って第１デバイス１０の画面上にアイコンを表示できる（Ｓ１１５０）。
図１２は、本発明の一実施の形態にかかるデバイス間にアイコンのレイアウトの変更を知らせる画面を示す図である。
【００９７】
図１２に示すように、デバイス１２１０及びデバイス１２２０のうちの何れか一つの画面上にアイコンのレイアウトが変更される場合、各デバイスは、相手デバイスに自身の画面上にアイコンのレイアウトが変更されたということを知らせる情報を送信できる。例えば、ユーザは、デバイス１２１０、１２２０のうちの何れか一つにインストールされたアプリケーションを削除するか、新しいアプリケーションをインストールするか、または画面上にアイコンを移動できる。このとき、画面上にアイコンが変更されたデバイスは、相手デバイスにアイコンのレイアウトが変更されたということを知らせる情報を送信できる。
【００９８】
アイコンのレイアウトが変更されたということを知らせる情報を受信したデバイス１２１０、１２２０は、画面上にお知らせメッセージ１２１１、１２２２をそれぞれ表示できる。そして、ユーザがアイコンのレイアウトの変更を要請する場合、お知らせメッセージ１２１１、１２２２を表示したデバイス１２１０、１２２０は、相手デバイスのアイコンのレイアウトと同一または類似に画面上にアイコンのレイアウトを表示できる。
【００９９】
他の実施の形態として、デバイスは、相手デバイスのアイコンのレイアウトが変更される場合、相手デバイスのアイコンのレイアウトに関する情報を利用して、画面上にアイコンの配置を変更できる。次に、デバイスは、画面上にアイコンの配置が変更されたということを知らせるメッセージを提供できる。
【０１００】
本発明は、ユーザがデバイスを交替するか、またはスマートフォンユーザが他のデバイス（例えば、タブレットデバイス）などを追加に購入する場合に、ユーザの不便さを減らすことができる。例えば、ユーザが交替したデバイスまたは新しく購入したデバイスを利用して最初実行する場合、従来では、ユーザがデバイスにインストールするアプリケーションをアプリケーションマーケットから探してインストールし、前記アプリケーションに対応するアイコンの位置を変更する過程が必要であった。
【０１０１】
しかし、上述した本発明の実施の形態によれば、ユーザが交替したデバイスまたは新しく購入したデバイスを利用して最初実行する場合、デバイスは、従来のデバイスにインストールされたアプリケーションを自動的にインストールして、前記アプリケーションに対応するアイコンの位置もまた、従来のデバイスでのアイコンの位置と同一または類似に自動的に配置できる。また、以後にユーザが従来のデバイスと新しいデバイスを共に利用する場合、従来のデバイスまたは新規デバイスのアイコンのレイアウトに関する情報が変更される時に、これを相手デバイスに知らせることによって、デバイス間にアイコンのレイアウトを同一または類似に維持し続けることができる。
【０１０２】
上述した本発明の実施の形態は、ハードウェア、ソフトウェアまたはハードウェア及びソフトウェアの組み合わせの形態として実現可能であるということが分かるはずである。このような任意のソフトウェアは、例えば、削除可能または再記録可能であるかどうかに係らず、ＲＯＭなどの格納装置のような揮発性または不揮発性格納装置、または例えば、ＲＡＭ、メモリチップ、装置または、集積回路のような格納部、または、例えばＣＤ、ＤＶＤ、磁気ディスクまたは磁気テープなどのような光学または磁気的に記録可能であると同時に、機械（例えば、コンピュータ）で読むことのできる格納媒体に格納されることができる。
【０１０３】
本発明の複数のアイコンを画面に表示するデバイス及びこれを運用するための方法は、制御部及び格納部を含むコンピュータまたは携帯端末機により具現されることができ、前記格納部は、本発明の実施の形態を具現する指示を含むプログラムまたはプログラムを格納するのに適した機械で読むことのできる格納媒体の一例であることが分かるはずである。したがって、本発明は、本明細書の任意の請求項に記載された装置または方法を具現するためのコードを含むプログラム、及びこのようなプログラムを格納する機械（コンピュータなど）で読むことのできる格納媒体を含む。また、このようなプログラムは、有線または無線接続を介して伝達される通信信号のような任意の媒体を介して電子的に移送されることができ、本発明は、これと均等なものを適切に含む。また、前記複数のアイコンを画面に表示するデバイス及びこれを運用するための方法は、有線または無線で接続するプログラム提供装置から前記プログラムを受信して格納することができる。それだけでなく、ユーザは、ユーザデバイスの設定を調整して本発明の実施の形態にかかる動作をユーザ端末内に限定したり、ネットワークを介したサーバとの連動で拡張することを選択的に利用することができる。
【０１０４】
以上、本発明の望ましい実施の形態について図示し説明したが、本発明は、上述した特定の実施の形態に限定されるものではなく、請求の範囲で請求する本発明の要旨から逸脱せずに当該発明が属する技術分野における通常の知識を有した者によって多様な変形実施が可能なことはもちろんで、このような変形実施は、本発明の技術的思想や展望から個別的に理解されてはならない。
【符号の説明】
【０１０５】
１０、２０、３０、４０  デバイス
５０  サーバ
３１０  通信部
３１１  放送受信モジュール
３１２  移動通信モジュール
３１３  無線インターネットモジュール
３１４  近距離通信モジュール
３１５  位置情報モジュール
３２０  ユーザ入力部
３３０  ディスプレイ部
３３１  表示パネル
３３２  入力パネル
３４０  オーディオ処理部
３５０  制御部
３６０  インタフェース部
３７０  電源供給部
３８０  制御部
３８１  レイアウト要請部
３８２  レイアウト管理部
３８３  レイアウト受信部
３８４  レイアウト決定部
３８５  アイコン表示部
６１０、６３０、６４０、６５０  デバイス
７１０、７５０  デバイス
１２１０、１２２０  デバイス
【図１】
0006046272.tif 000003
【図２Ａ】
0006046272.tif 000004
【図２Ｂ】
0006046272.tif 000005
【図２Ｃ】
0006046272.tif 000006
【図３】
0006046272.tif 000007
【図４】
0006046272.tif 000008
【図５】
0006046272.tif 000009
【図６】
0006046272.tif 000010
【図７】
0006046272.tif 000011
【図８】
0006046272.tif 000012
【図９】
0006046272.tif 000013
【図１０】
0006046272.tif 000014
【図１１】
0006046272.tif 000015
【図１２】
0006046272.tif 000016